(57)【要約】【課題】  柄の先端部に取り付けた掘削部を土に打ち込んで深い穴を掘る穴掘り器において、掘削部の打ち込みを容易にする。【解決手段】  適宜長さの金属棒よりなる柄１の先端部に掘削部２をそなえ、柄１に沿って摺動する保持ナット８と、柄の頭部端に前記保持ナット６の抜け止め４を設け、柄１を囲んで前記抜け止めの外周を軸方向に摺動する有底のハンマー管５をそなえ、ハンマー管５の掘削部側端を保持ナット８に連結している。ハンマー管５柄１に沿って引き上げて打ち降ろし、ハンマー管５の頭部内面５ａを柄１の頭部端面１ａに打ち当てて、その衝撃力で柄１を介して掘削部２を土に打ち込ませる。【選択図】        図１
0003110780.tif 000002
【実用新案登録請求の範囲】
【請求項１】
適宜長さの金属棒よりなる柄の先端部に掘削部をそなえ、前記掘削部を土に打ち込んで掘削部の径に応じた穴を掘る穴掘り器において、柄の外側に軸方向に摺動し頭部内面を柄の頭部端面に打ち当てるハンマー管を設けたことを特徴とする穴掘り器。
【請求項２】
適宜長さの金属棒よりなる柄の先端部に掘削部をそなえ、前記掘削部を土に打ち込んで掘削部の径に応じた穴を掘る穴掘り器において、柄に沿って摺動する保持ナットと、柄の頭部端に前記保持ナットの抜け止めを設け、柄を囲んで前記抜け止めの外周を軸方向に摺動し、頭部内面を柄の頭部端面に打ち当てるハンマー管をそなえ、前記ハンマー管の掘削部側端を保持ナットに連結したことを特徴とする穴掘り器。
【考案の詳細な説明】
【技術分野】
【０００１】
この考案は、土工用の深い穴を掘る穴掘り器に関するものである。
【背景技術】
【０００２】
従来、ポールなどの支柱用や山芋掘りのように小さい径で深い穴を手動で掘る場合は、適当な長さの柄の先端に開閉可能に対向して取り付けたスコップ状の刃を取り付け、スコップ状の刃を打ち込んで、土を挟んで掘り上げる穴掘り器（たとえば特許文献１、特許文献２、特許文献３参照）が多く用いられているが、構造が複雑になるため、本出願人は、先にスコップ状の刃のかわりに、柄の先端に設けた取付座の周囲に複数個の尖頭鋼棒を環状に取り付けた掘削部を備え、尖頭鋼棒を土に打ち込んで環状の鋼棒内側に土を保持させて引き上げる穴掘り具を提案した（特許文献４参照）。
また、このような穴掘り器を土に打ち込むかわりに、スコップ状の刃を備えた支軸の一部を屈曲させて足掛け部を形成し、足で押し込むようにしたものが提案されている（特許文献５参照）。
【特許文献１】実開昭５６−５５０５２
【特許文献２】特開平１０−８８６０５号公報
【特許文献３】特開２００５−３０１９０号公報
【特許文献４】実用新案登録第３０３８９５７号
【特許文献５】実開昭５５−９６９４４号公報
【考案の開示】
【考案が解決しようとする課題】
【０００３】
このように、柄の先端部にスコップ状の刃や尖頭鋼棒からなる掘削部を取り付けた穴掘り器は、柄を持った手に力を込めて先端の掘削部を土に突き入れ、掘削部内に保持された土とともに引き上げる作業を繰り返す必要があり、掘削部を打ち込む力によって穴掘りの作業能率に影響を受けるが、穴が深くなると穴掘り器が穴内に入り込んで、穴から出ている柄の長さが短くなるため打ち込み力が弱くなり、深い部分の掘削作業が次第に困難になっている。
このため、柄を長くすると全体の長さと重量が増し、取り扱いや運搬が不便になる欠点がある。また、柄に足掛け部を設けたものでは、足掛け部が土の表面に当たって深い穴を掘ることができなかった。
また、粘度質の土は、穴から引き上げて掘削部の内側に保持された土を除去する作業が面倒であり、次の打ち込みまでに時間が長くなっている。
【課題を解決するための手段】
【０００４】
上記の課題を解決するため、適宜長さの金属棒よりなる柄の先端部に掘削部をそなえ、前記掘削部を土に打ち込んで掘削部の径に応じた穴を掘る穴掘り器において、柄の外側に軸方向に摺動し頭部を有底にしたハンマー管を設け、ハンマー管の摺動により頭部内面を柄の頭部端に打ち当てて柄に衝撃を与え、その衝撃力で打ち込むようにしている。
なお、柄に沿って摺動する保持ナットと、柄の頭部端に前記保持ナットの抜け止めを設け、前記ハンマー管の一方端を保持ナットに連結させることにより、柄を囲んで軸方向に摺動するハンマー管が前記抜け止めの外周と保持ナットで摺動支持されるように構成する形態が望ましい。
【考案の効果】
【０００５】
このように、柄の外側に軸方向に摺動するハンマー管を設け、この摺動によってハンマー管の頭部内面を柄の頭部端に打ち当てて、その衝撃力によって掘削部を打ち込ませるので、柄を手で打ち降ろすよりも大きな力で掘削することができ、穴掘り器が穴内に入り込んで、穴から出ている柄の長さが短くなってもハンマー管の打ち降ろしにより大きな衝撃力を与えて掘削部を有効に打ち込むことができる効果が得られ、操作が簡単で、労力を少なくすることができ、穴掘り器の長さに対して深い穴も容易に掘ることが可能になる。
また、掘削した穴掘り器を引き上げて掘削部内に保持された土を落とす場合も、掘削時と同様に衝撃を与えることにより、容易に脱落させることができる。
【考案を実施するための最良の形態】
【０００６】
これを図１に示す実施例について説明する。
１は柄で、鋼管を用いており穴の深さより長くすることが望ましい。２は掘削部で、この実施例では、柄１の先端部に取り付けた取付座３の周囲に複数個の尖頭鋼棒２ａ、たとえば径８ｍｍ、長さ２５ｃｍ程度の鋼棒の一方端をほぼ等間隔に溶着している。なお、尖頭鋼棒２ａは、先端を尖らせ、先端相互が僅かに先広がりになるよう傾斜させて取り付けるのが良い。４は柄１の頭部端に設けた抜け止め、５は抜け止め４の外周に摺動し、適当な重さを有するハンマー管で、一方端にキャップ６をねじ部７で連結して有底の鋼管としており、他方端を柄１に摺動自由に挿通した保持ナット８にねじ部９で連結している。
１ａは柄１の頭部端面で抜け止め４と一体に形成されている。５ａはハンマー管５の頭部内面で、一体に形成されたキャップ６の内面で形成されている。１０はハンマー管５と抜け止め４の孔に差し込んで、使用しないときにハンマー管５の移動を防止するためのストッパーピン、一点鎖線は土を示しておりＡは穴である。
【０００７】
ストッパーピン１０を外して掘削部２を土の面に当て、ハンマー管５を柄１の頭部側に引き上げた状態から、保持ナット８と柄１の摺動面、およびハンマー管５と抜け止め４の摺動面をガイドにして、ハンマー管５（キャップ６）の頭部内面５ａを柄１の頭部（抜け止め４）端面１ａに急激に打ち当てる。このため、掘削部２は柄１を介して大きな衝撃力を受けて土に打ち込まれ、この動作を数度繰り返して引き上げると、掘削部２内に掘削された土が保持されて取り出される。穴の外で同様にハンマー管５を柄１に打ち当てると、その衝撃で掘削部２内の土を脱落させることができる。
図のように穴Ａが深くなり、地面上の柄１が短くなっても、ハンマー管５を持ち上げて急激に打ち落とすことにより、浅いときと同様の打ち込み効果が得られる。
【０００８】
図２は、別の実施例で同じ部分に同一の符号を付している。
ハンマー管５の内周面を柄１の外周に直接摺動させるようにしており、図１の実施例と同様に作用する。なお、柄１の頭部には栓１１を嵌合させて補強しており、ハンマー管５の頭部はキャップ６をねじ部７で一体に連結している。１２はハンマー管５を引き上げたときに柄１から抜け出すのを防ぐためハンマー管５に設けた縦溝、１３は前記縦溝１２に係合する止めピンで柄１に植設している。
上記した実施例では、ハンマー管５の頭部にキャップ６を連結しているが、図２の柄と同様に、栓を嵌合させて有底に形成してもよい。
【図面の簡単な説明】
【０００９】
【図１】本考案の実施例を示す側断面図である。
【図２】別の実施例を示す側面図で頭部を断面図で示している。
【符号の説明】
【００１０】
１  柄
２  掘削部
３  取付座
４  抜け止め
５  ハンマー管
６  キャップ
７  ねじ部
８  保持ナット
９  ねじ部
１０  ストッパーピン
１１  栓
１２  縦溝
１３  ピン
１ａ  柄１の頭部端面
２ａ  尖頭鋼棒
５ａ  ハンマー管５の頭部内面
Ａ  穴
【図１】
0003110780.tif 000003
【図２】
0003110780.tif 000004